(57)【特許請求の範囲】
【請求項１】
スレーブユニットと演算器とを備える手術ロボットシステムであって、
前記スレーブユニットは、ロボットアームと、手術器具と、カニューレと、感知素子とを備え、
前記ロボットアームは、前記手術器具を駆動して遠隔運動中心の周りを旋回させるよう構成され、
前記カニューレは、前記ロボットアームの端末に脱着可能に接続され、前記カニューレの軸は前記遠隔運動中心を通って延び、
前記手術器具は、前記ロボットアームの端末に脱着可能に接続され、前記カニューレを通って遠位方向に延び、
前記感知素子は前記カニューレ上に設けられ、前記カニューレの軸方向の変形を感知するよう構成され、
前記カニューレの内壁に突起部が設けられ、前記突起部は、前記手術器具と接触する際に点接触を生じることができるように構成され、前記カニューレは、前記突起部及び感知素子が両方とも前記ロボットアームの端末から遠く離れた基準点の一方側に設けられた状態で、前記遠隔運動中心に配置されている前記基準点を有し、
前記手術器具は、パワーモジュールと、器具軸と、第１特徴点と、第２特徴点と、第３特徴点と、を備え、
前記パワーモジュールは、前記器具軸の近位端に接続され、前記器具軸は前記突起部と接触する際に点接触を生じることができるように構成され、
前記第１特徴点は、前記器具軸が前記パワーモジュールに接続している位置に画定され、前記第２特徴点は前記突起部が前記器具軸と接触可能な位置に画定され、前記第３特徴点は、前記手術器具の端末に画定され、
前記演算器は、前記第３特徴点である前記手術器具の端末に作用する半径方向の力を、前記感知素子によって測定した前記第２特徴点に作用する力、前記第１特徴点と前記第２特徴点との間の距離、及び前記第１特徴点と前記第３特徴点との間の距離に基づいて、トルクバランスの原理に従って、演算するものであり、
前記第１特徴点と前記第２特徴点との間の前記距離は、前記カニューレと前記器具軸との初期位置における前記第１特徴点と前記第２特徴点との間の初期の距離から、前記カニューレに対して前記器具軸が前記軸方向に移動する前記器具軸の変位量を加えた距離である、手術ロボットシステム。
【請求項２】
前記カニューレの内壁に１つの突起部が設けられ、又は前記カニューレの内壁に複数の突起部が、前記カニューレの前記軸まわりに左右対称に分配されている、請求項1に記載の手術ロボットシステム。
【請求項３】
前記感知素子は、前記突起部よりも前記ロボットアームの端末の近くに配置されている、請求項１に記載の手術ロボットシステム。
【請求項４】
複数の感知素子が前記カニューレの内面及び／又は外面において、前記カニューレの前記軸まわりに左右対称に分配されている、請求項１乃至３のいずれか１項に記載の手術ロボットシステム。
【請求項５】
前記カニューレは、前記ロボットアームの端末に脱着可能に接続されるよう構成されているマウントを備えている、請求項１に記載の手術ロボットシステム。
【請求項６】
前記カニューレは、前記手術器具と同軸又は隙間嵌めされるよう構成されている、請求項１に記載の手術ロボットシステム。
【請求項７】
スレーブユニットと演算器とを備える手術ロボットシステムであって、
前記スレーブユニットは、ロボットアームと、手術器具と、カニューレと、感知素子とを備え、
前記ロボットアームは、前記手術器具を駆動して遠隔運動中心の周りを旋回させるよう構成され、
前記カニューレは、前記ロボットアームの端末に脱着可能に接続され、前記カニューレの軸は前記遠隔運動中心を通って延び、
前記手術器具は、前記ロボットアームの端末に脱着可能に接続され、前記カニューレを通って遠位方向に延び、
前記感知素子は前記カニューレ上に設けられ、前記カニューレの軸方向の変形を感知するよう構成され、
前記手術器具は、パワーモジュールと、器具軸と、第１特徴点と、第２特徴点と、第３特徴点とを備え、
前記パワーモジュールは、前記器具軸の近位端に接続され、前記器具軸は前記カニューレと接触する際に点接触を生じることができるように構成され、前記第１特徴点は前記器具軸が前記パワーモジュールに接続している位置に画定され、前記第２特徴点は前記カニューレの端末と対応する前記器具軸の位置に画定され、前記第３特徴点は前記手術器具の端末に画定され、
前記演算器は、前記第３特徴点である前記手術器具の端末に作用する半径方向の力を、前記感知素子によって測定した前記第２特徴点に作用する力、前記第１特徴点と前記第２特徴点との間の距離、及び前記第１特徴点と前記第３特徴点との間の距離に基づいて、トルクバランスの原理に従って、演算するものであり、
前記第１特徴点と前記第２特徴点との間の前記距離は、前記カニューレと前記器具軸との初期位置における前記第１特徴点と前記第２特徴点との間の初期の距離から、前記カニューレに対して前記器具軸が前記軸方向に移動する前記器具軸の変位量を加えた距離である、手術ロボットシステム。
【請求項８】
前記第１特徴点と前記第２特徴点との間の前記距離は、前記手術ロボットシステムの初期化中に決定された前記第１特徴点と前記第２特徴点との間の前記距離の初期値と、前記手術ロボットシステムの前記初期化中に決定された前記手術器具の初期位置からの前記カニューレの軸に沿った前記手術器具の変位とに基づいて得られる、請求項１又は７に記載の手術ロボットシステム。
【請求項９】
前記手術器具は、パワーモジュールと、前記パワーモジュールから前記手術器具の端末へ出力される力を伝達するように構成されている伝達機構とを備え、前記パワーモジュールは前記手術器具を駆動して軸方向に動かすように構成されている軸方向駆動モータを備え、
前記演算器は、前記軸方向駆動モータから出力される力及び前記伝達機構の減速比に基づいて、前記手術器具の端末に作用する軸力を決定するように構成されている、請求項１又は７に記載の手術ロボットシステム。
【請求項１０】
前記軸方向駆動モータから前記出力される力は、前記軸方向駆動モータを通って流れる電流から演算可能又は前記軸方向駆動モータの出力軸に設けられたセンサによって測定可能である、請求項９に記載の手術ロボットシステム。
【請求項１１】
前記手術器具と前記カニューレとの間の摩擦を減少させるために前記手術器具の外面にコーティングが設けられている、請求項９に記載の手術ロボットシステム。
【請求項１２】
前記手術器具の端末に作用する前記半径方向の力の知覚を可能とするよう構成されている力インジケータを備えているマスタユニットをさらに備えている、請求項１又は７に記載の手術ロボットシステム。
【請求項１３】
前記力インジケータは、前記演算器に通信可能に接続されているモータを備えているマスタマニピュレータである、又は前記力インジケータは画像化システムである、請求項１２に記載の手術ロボットシステム。
【発明の詳細な説明】
【技術分野】
【０００１】
本発明は、医療機器の技術分野に関し、さらに具体的には、手術ロボットシステムに関する。
【背景技術】
【０００２】
手術ロボット支援手術の共通のシナリオにおいて、外科医は患者から遠隔に配置されたロボットのマスタエンドを操作して、マスタ・スレーブ制御方式において、手術部位周囲にあるロボットのスレーブエンドの手術器具の動きを制御する。マスタエンドは、手術部位に対して手術器具の位置及び配向を制御できる一連の同種ロボットアーム、一連の異種ロボットアーム、並列ロボットアーム、外骨格グローブなどであってもよいが、これらに限らない。
【０００３】
概して、スレーブエンドには、手術器具を保持できる多数のロボットアームと内視鏡とが配備されている。これらの場合、手術器具と患者の組織との相互作用の結果を外科医が正確に知覚できるようにすることが非常に重要である。言い換えると、これら手術器具の端末に生体組織によって加えられた力でもある手術器具により加えられた力の知覚可能なインジケーションを得ることが外科医には必要となる。
【０００４】
既存の手術ロボットシステムのうち、ダ・ヴィンチ・システムが世界でも最も傑出したものの1つとして認められている。しかしながら、中国及び外国の両方におけるこのようなシステムの手術器具は、ダ・ヴィンチ・システムを含め、未だ多数の不備に悩まされ、その中の主要なものは以下の通りである。
【０００５】
１.既存の手術ロボットには、力フィードバック機構を持たないものもあり、その手術器具が外科的処置中の操作環境及び状況のフィードバックを行うことができないままになっている。それ故、外科医は、どの手術器具からも、視野外で起こったいかなる干渉又は特定の身体部位との接触をも知覚することができない。このことは、外科医の使用感覚と処置の成果に著しい影響をもたらし、又、ひいては外科的処置を失敗にさえ導く。
【０００６】
２.力フィードバックシステム付きの既存の手術ロボットもいくつか存在するが、このようなシステムは高度の計算上及び構造上の複雑性を伴い、一般的に追加の構成要素の採用、又は手術器具に作用する力の算出のための伝達機構の測定が導入された間接的な形で動作する。このことは、手術器具の質量及び構造的複雑性の顕著な増加をもたらす。このような間接的な力フィードバックシステムの一例として、国際公開第２００５／０６７８０４号に開示された手術器具を送達するためのトロカール装置がある。この装置は、トロカールの内壁に設けられた環状の力変換器と、力変換器の中央オリフィス内に挿通されたカニューレと、カニューレを貫通し、トロカールの遠位端から外側へ突出できて、対象手術部位との相互作用状態となる手術器具とを備えている。トロカールとカニューレとの間に配置されている力変換器は、対象部位にある手術器具によって加えられた力を間接的に測定することが意図されている。その用途の一実施形態では、力フィードバックの測定を容易化するために、他の環状の力変換器が、手術器具の近位端がロボットアームに接続された場所に設けられている。この装置は全体的に構造が複雑で、複雑な力フィードバックアルゴリズムを必要とする。
【発明の概要】
【発明が解決しようとする課題】
【０００７】
本発明のいくつかの実施形態は、構造的複雑性、計算的複雑性、及び低精度といった手術器具の端末の接触力を測定するための従来のメカニズムの問題点の少なくとも１つを、手術ロボットシステムを提供することにより克服することを目的とする。
【課題を解決するための手段】
【０００８】
この目的のために、本発明のいくつかの実施形態は手術ロボットシステムを開示し、手術ロボットシステムは、スレーブユニットと、演算器とを備え、前記スレーブユニットは、ロボットアームと、手術器具と、カニューレと、感知素子とを備え、前記ロボットアームは、前記手術器具を駆動して遠隔運動中心の周りを旋回させるよう構成され、前記カニューレは、前記ロボットアームの端末に脱着可能に接続され、前記カニューレの軸は前記遠隔運動中心を通って延び、前記手術器具は、前記ロボットアームの端末に脱着可能に接続され、前記カニューレを通って遠位方向に延び、前記感知素子は前記カニューレ上に設けられ、前記カニューレの軸方向の変形を感知するよう構成され、前記演算器は、トルクバランスの原理に従って、前記手術器具の端末に作用する半径方向の力を、前記感知素子により感知され決定された前記カニューレに作用する力に基づいて決定するように構成されている。
【０００９】
選択的に、前記カニューレの内壁に突起部が設けられ、前記突起部は、前記手術器具と接触する際に点接触を生じることができるように構成され、前記カニューレは、前記突起部及び感知素子が両方とも前記ロボットアームの端末から遠く離れた基準点の一方側に設けられた状態で、前記遠隔運動中心に配置されている前記基準点を有し、前記演算器は、前記感知素子により感知及び決定された前記点接触の位置にある前記カニューレに作用する力に基づき、前記手術器具の端末に作用する前記半径方向の力を決定するように構成されている。
【００１０】
選択的に、前記カニューレの内壁に１つの突起部が設けられ、又は前記カニューレの内壁に複数の突起部が設けられて左右対称に分配されている。
【００１１】
選択的に、前記感知素子は、前記突起部よりも前記ロボットアームの端末の近くに配置されている。
【００１２】
選択的に、複数の感知素子が前記カニューレの内面及び／又は外面に左右対称に分配されている。
【００１３】
選択的に、前記カニューレは、前記ロボットアームの端末に脱着可能に接続されるよう構成されているマウントを備えている。
【００１４】
選択的に、前記カニューレは、前記手術器具と同軸又は隙間嵌めされるよう構成されている。
【００１５】
選択的に、前記手術器具は、パワーモジュールと、器具軸と、第１特徴点と、第２特徴点と、第３特徴点とを備え、前記パワーモジュールは、前記器具軸の近位端に接続され、前記器具軸は前記カニューレと接触する際に点接触を生じることができるように構成され、前記第１特徴点は前記器具軸が前記パワーモジュールに接続している位置に画定され、前記第２特徴点は前記カニューレの端末と対応する前記器具軸の位置に画定され、前記第３特徴点は前記手術器具の端末に画定され、前記第３特徴点に作用する前記半径方向の力は前記第２特徴点に作用する力、前記第１特徴点と前記第２特徴点との間の距離、及び前記第１特徴点と前記第３特徴点との間の距離に基づいて、前記演算器により決定可能である。
【００１６】
選択的に、前記手術器具は、パワーモジュールと、器具軸と、第１特徴点と、第２特徴点と、第３特徴点とを備え、前記パワーモジュールは、前記器具軸の近位端に接続され、前記器具軸は前記突起部と接触する際に点接触を生じることができるように構成され、前記第１特徴点は前記器具軸が前記パワーモジュールに接続している位置に画定され、前記第２特徴点は前記突起部が前記器具軸と接触可能な位置に画定され、前記第３特徴点は前記手術器具の端末に画定され、前記第３特徴点に作用する前記半径方向の力は、前記第２特徴点に作用する力、前記第１特徴点と前記第２特徴点との間の距離、及び前記第１特徴点と前記第３特徴点との間の距離に基づいて、前記演算器により決定可能である。
【００１７】
選択的に、前記第１特徴点と前記第２特徴点との間の前記距離は、前記手術ロボットシステムの初期化中に決定された前記第１特徴点と前記第２特徴点との間の前記距離の初期値と、前記手術ロボットシステムの前記初期化中に決定された前記手術器具の初期位置からの前記カニューレの軸に沿った前記手術器具の変位とに基づいて得られる。
【００１８】
選択的に、前記手術器具は、パワーモジュールと、前記パワーモジュールから前記手術器具の端末へ出力される力を伝達するように構成されている伝達機構とを備え、前記パワーモジュールは前記手術器具を駆動して軸方向に動かすように構成されている軸方向駆動モータを備え、前記演算器は、前記軸方向駆動モータから出力される力及び前記伝達機構の減速比に基づいて、前記手術器具の端末に作用する軸力を決定するように構成されている。
【００１９】
選択的に、前記軸方向駆動モータから前記出力される力は、前記軸方向駆動モータを通って流れる電流から演算可能又は前記軸方向駆動モータの出力軸に設けられたセンサによって測定可能である。
【００２０】
選択的に、前記手術器具と前記カニューレとの間の摩擦を減少させるために前記手術器具の外面にコーティングが設けられている。
【００２１】
選択的に、前記手術器具の端末に作用する前記半径方向の力の知覚を可能とするよう構成されている力インジケータを備えているマスタユニットをさらに備えている。
【００２２】
選択的に、前記力インジケータは、前記演算器に通信可能に接続されているモータを備えているマスタマニピュレータである、又は前記力インジケータは画像化システムである。
【００２３】
要約すると、本発明の実施形態のいくつかは、スレーブユニットと、演算器とを備えている手術ロボットシステムを提供する。スレーブユニットは、ロボットアームと、手術器具と、カニューレと、感知素子とを備えている。感知素子はカニューレ上に設けられ、カニューレの軸方向の変形を感知するよう構成され、演算器は、接触力によって手術器具の端末に作用する半径方向の力だけでなく、感知された軸方向の変形からカニューレにかかる接触力を決定するように構成されている。他の実施形態では、カニューレの内壁に、手術器具と点接触できるよう構成されている突起部が設けられ、演算器は、感知素子により感知された軸方向の変形に従ってカニューレにかかる点接触力に基づき手術器具の端末に作用する半径方向の力を決定するように構成されている。外力が手術器具の端末に作用すると、手術器具が変形し、カニューレと接触する。これに応じて、カニューレは、手術器具の接触部に支持力を加える。支持力のモーメントが、手術器具の端末に作用する外力の半径方向（すなわち、前述の半径方向の力）のそれと釣り合う。そのため、手術器具の端末の構造におけるばらつきから生じ得る測定エラーを回避しつつ、カニューレと手術器具との間の接触力を測定することで、手術器具の端末への半径方向の力が正確かつ独自に決定できる。特に、カニューレは、手術器具と点接触できる突起部を備えているため、手術器具の端末に作用する半径方向の力は、突起部と手術器具との間の接触力を測定することによりさらにより高い精度で決定できる。
【００２４】
モータ出力を使用して手術器具の端末に作用する力を算出する従来の解決策に比べ、本発明の手術ロボットシステムは、よりシンプルな力伝達経路とより高い半径方向の力の測定精度の両方において有利である。さらに、手術器具の端末に作用する半径方向の力は、追加のコンポーネントを必要とせずにさらに簡単な方法で取得でき、手術器具の構造的複雑性のさらなる低減を提供し、その組み立てを容易にする。さらに、手術器具には軽微な変更が必要なため、既存の様々な手術器具は、本発明により提案されている手術ロボットシステムに適切に使用できる。
【図面の簡単な説明】
【００２５】
【図１】本発明の実施形態に係る手術ロボットシステムの構造模式図である。
【図２】本発明の実施形態に係る手術器具の構造模式図である。
【図３】本発明の実施形態に従ってカニューレを通して挿通された手術器具の端末にある人間の組織によって加えられた力を模式的に示す。
【図４ａ】本発明の実施形態に係るカニューレの横断面図である。
【図４ｂ】本発明の他の実施形態に係るカニューレの横断面図である。
【図４ｃ】本発明のさらに他の実施形態に係るカニューレの横断面図である。
【図５】本発明の実施形態に従って手術器具に作用する力を模式的に示す。
【図６】本発明の実施形態に係るカニューレの構造模式図である。
【図７】本発明の他の実施形態に係るカニューレの構造模式図である。  これら図面中、１はペイシェントカートを示し、２はロボットアームを示し、３は手術器具を示し、３０１はパワーモジュールを示し、３０２は器具軸を示し、３０３は端末エフェクタを示し、４は内視鏡を示し、５はステレオ撮像システムを示し、６はマスタマニピュレータを示し、７はアームレストを示し、８は患者を示し、１０は演算器を示し、９はカニューレを示し、９０１はマウントを示し、９０２は突起部を示し、９０３は感知素子を示す。
【発明を実施するための形態】
【００２６】
本発明の上記及び他の目的、特性、及び利点は、図１乃至図７と関連して読まれる以下に提案されている手術ロボットシステムの詳細な説明からさらに明らかになるであろう。なお、図面はさらに簡略化され、一定の尺度をもって描かれていなくてもよく、これらの唯一の目的は、開示された実施形態の容易で明快な説明を簡略化することである。本明細書中で使用されている、「後端」、「端末」、又は「遠位端」とは、操作者から遠く、患者からは近い端部を指し、一方、「先頭」、「先端」、又は「近位」とは、操作者から近く、患者からは遠い端部を指す。
【００２７】
図１は、本発明の実施形態に係る手術ロボットシステムの構造模式図である。手術ロボットシステムは、ペイシェントカート１と、ロボットアーム２と、手術器具３と、内視鏡４と、カニューレ９とを備えているスレーブユニットを備えている。スレーブユニット全体の基台として、ペイシェントカート１が全ての機械的機構を支持する。一方、ペイシェントカート１は地面上において可動であり、スレーブユニットを患者８に近付け又は離すことができる。
【００２８】
複数の自由度を持つロボットアーム２は、ペイシェントカート１に搭載されて、手術器具３を駆動して、遠隔運動中心（ＲＣＭ）の周りを旋回させるよう構成されている。ペイシェントカート１が患者８の近辺に動く際、手術器具３が所定の対象手術部位に到達するようにロボットアーム２が調整されてもよい。すなわち、ペイシェントカート１及びロボットアーム２の両方を調整することで、ＲＣＭが手術部位の周囲に位置付けられる。手術器具３は、固定的又は動作自在にロボットアーム２の端末に搭載されている。スレーブユニットのエフェクタとして、手術器具３は、生体内の対象となる病変等を治療するために最終的に手術部位にて患者の身体へと入る。外科的処置の全体において、手術器具３は複数の自由度を持ってＲＣＭの周囲を動き、手術器具３の動作が身体の表面組織に損傷を与えること防ぐため、及び身体内で密閉環境を作り出すため、カニューレ９が手術器具３と上記の表面組織との間に配置される。カニューレ９はロボットアーム２の端末に脱着可能に接続され、ＲＣＭを通る軸を画定する。手術器具３の一端は、ロボットアーム２の端末に脱着可能に接続され、他端はカニューレ９に通されて、病変等に近付くように患者の身体内に遠位的に挿入される。このようにして、手術器具３は、カニューレ９内でその軸に沿った動き及び／又はその軸の周りの回転を実現することを可能にもしつつ、ＲＣＭの周囲をカニューレ９と同調して動くことができる。
【００２９】
内視鏡４は、手術器具３が取り付けられているものとは異なるロボットアーム２の端末に搭載され、手術環境についての画像情報を収集するように構成されている。画像情報は、病変等の周囲の組織についての情報と、手術器具３の姿勢及び位置についての情報とを含んでもよいが、それらに限らない。ロボットアーム２に搭載されている場合、内視鏡４は、それにより収集された手術環境についての情報のリアルタイム表示を可能にするように、以下に詳述されているマスタユニットと通信可能に接続されてもよい。内視鏡４は、立体視であってもなくてもよく、本発明では限定されない。
【００３０】
図１に示されているように、手術ロボットシステムは、画像化システム５と、マスタマニピュレータ６と、アームレスト７とを備えているマスタユニットをさらに備えている。外科的処置中、内視鏡４からの情報が画像化システム５に表示された状態で、外科医は手術器具３の動きをリアルタイムでモニタリングでき、それに従って、マスタマニピュレータ６を操作することにより手術器具３のその後の動きを制御できる。外科医は、手術コンソールに座って、画像化システム５の補助により、患者の身体内での手術器具の端末の位置と動きを観察してもよい。観察に基づき、外科医は、マスタマニピュレータ６を操作することにより端末のその後の動きを制御でき、このようにして低侵襲手術が可能となる。外科医によるマスタマニピュレータ６の操作の結果として、手術器具３は、外科的処置で必要であれば、縦、横、回転、開、閉等の多次元空間における動きを行ってもよい。アームレスト７は、外科的処置が長時間続く場合により高い快適性を外科医が維持できるように外科医の腕を支持できる。加えて、アームレスト７は、異なる外科医の様々なニーズに合うように昇降可能である。
【００３１】
手術ロボットシステムは、マスタ及びスレーブユニットの両方と、例えば、有線又は無線接続で通信可能に接続された演算器１０をさらに備えている。演算器１０は、制御則に基づき、センサデータの演算処理及び制御に必要な様々なデータを計算する役割を有する。演算器１０は、感知素子９０３によって伝送されたデータ（例えば、歪み及び応力データ）からカニューレ９に作用する力を決定してもよく、このようにして、手術器具３の端末に作用する力を決定して、それから、手術器具３の端末への力が分かるように、手術器具３の端末への力に関する情報をマスタユニットの力インジケータへと伝送する。力インジケータは、手術器具３の端末への力の大きさ及び方向を表示できる画像化システム５であってもよい。
【００３２】
代替的に、力インジケータは、モータ付きのマスタマニピュレータ６であってもよい。外科医がシステムを操作する間、演算器１０は、手術器具３の端末への力に関する情報に基づき、マスタマニピュレータ６のモータを制御してもよく、外科医に作用する力を加えてもよい。明らかに、マスタマニピュレータ６から手術器具３に行われた制御は、手術ロボットシステムのマスタ・スレーブ制御ループの基本を成す。外科的処置の実際の状況をよりよくシミュレート、すなわち、処置中に手術器具３に作用する力をシミュレートするため、手術器具３は、それに作用するいかなる力もマスタマニピュレータ６にフィードバックできること、すなわち、力フィードバック能力のある手術器具３を提供することが望まれている。感知素子９０３により感知されたデータ（例えば、歪み及び応力データ）からカニューレ９に作用する力が決定されて、それに従いカニューレ９に作用する力から手術器具３の端末に作用する力が決定された後、演算器１０はマスタマニピュレータ６のモータにトルク指令を出すことができ、手術器具３の端末に作用する力を操作者が知覚するようにできる。より好適には、マスタマニピュレータ６はバイブレータを備えてもよい。この場合、感知素子９０３により感知されたデータ（例えば、歪み及び応力データ）から決定される手術器具３の端末への力が予め設定された閾値を超えている場合、演算器１０は、マスタマニピュレータ６のバイブレータに振動指令を出すことができ、操作者に手術器具３の端末への過度の力について知らせる。
【００３３】
本実施形態に係る手術ロボットシステムは、手術器具３の端末への半径方向の力、すなわち手術器具３の軸と垂直な方向に沿って加えられる力を測定できる。
【００３４】
図２は、本発明の実施形態に係る手術器具の構造模式図である。図示のように、手術器具３は、パワーモジュール３０１と、器具軸３０２と、力伝達機構及び端末エフェクタ３０３とを備えている。力伝達機構は、例えば、ワイヤー伝達を採用して、器具軸３０２に収容されて、パワーモジュール３０１及び端末エフェクタ３０３の両方に接続されてもよい。パワーモジュール３０１は、器具軸３０２の先端（すなわち、操作者により近い端部）に設けられ、一方、端末エフェクタ３０３は、器具軸３０２の端末（すなわち操作者からより遠く離れた端部）に設けられている。パワーモジュール３０１は、力伝達機構により端末エフェクタ３０３へと伝達される駆動力を提供するよう構成され、このようにして、端末エフェクタ３０３が多次元回転運動や開／閉動作等を行えるようにできる。端末エフェクタ３０３は、患者の病変等を、例えば、切ったり、精査したり、つまんだりするような動作を行うように構成されている。本発明は、端末エフェクタ３０３のいかなる特定のタイプに限定されず、はさみ、プライヤ、プローブ等であり得る。
【００３５】
さらに、検出の容易性を高めるために、手術器具３のために座標系を画定してもよい。この座標系は、図示のように、直交座標系に限らず、代わりに円筒座標系や極座標系等とすることも可能である。例としての図示の直交座標系で、図２及び３に示されているように、座標系はＸ軸、Ｙ軸、及びＺ軸の３つの軸で構成され、Ｚ軸は器具軸３０２の軸に沿って延び、Ｘ軸は器具軸３０２の軸と垂直であり、Ｙ軸は右手の法則に従って決定される。実際の外科的処置では、手術器具３の端末（すなわち、端末エフェクタ３０３を備えている端部）は、一般的に３つの軸に沿って、患者の組織に力を加えることで、患者の組織と相互に作用する。それに応じて、ニュートンの運動の第３法則に従って、手術器具３の端末は、３つの軸に沿う作用力と等しい大きさで逆方向の反力を受け、Ｘ及びＹ軸に沿う反力は感知素子９０３及び演算器１０によって得られてもよい。このことは、以下にさらに詳細に説明する。
【００３６】
本実施形態では、パワーモジュール３０１は器具軸３０２の近位端に接続されてもよく、器具軸３０２はカニューレ９内に受け入れられている。好適には、器具軸３０２はカニューレ９と点接触できるよう構成されてもよい。手術器具の端末における半径方向の力の測定の精度の向上は、カニューレ９と手術器具３との間の点接触力を測定することで得ることができる。
【００３７】
図６は、本発明の実施形態に係るカニューレ（その中の点線で示されている突起部９０２付）の構造模式図である。図６に示されているように、カニューレ９は、ロボットアーム２の端末に脱着可能に接続されているように構成されているマウント９０１を備えてもよい。カニューレ９は、カニューレ９の内壁から突出する突起部９０２も有してもよい。感知素子９０３がカニューレ９に備え付けられてもよい。加えて、カニューレ９はさらに、ＲＣＭに位置する基準点（不図示、マウント９０１に対し位置固定されている）を有してもよい。突起部９０２及び感知素子９０３は、マウント９０１からより遠く離れた基準点の側（すなわち、ロボットアームの端末からより遠く離れた基準点の側）に設けられてよく、突起部９０２は、マウント９０１から、すなわちロボットアームの端末から、感知素子９０３よりもさらに遠くに位置してもよい。
【００３８】
組み立て中、突起部９０２が器具軸３０２と点接触できるよう構成されている状態で、器具軸３０２はカニューレ９を通って挿入されてもよい。好適には、器具軸３０２はカニューレ９と同軸で隙間嵌めされるように構成されている。感知素子９０３は、カニューレ９の内面又は外面のいずれかに備え付けられてもよい。さらに、マウント９０１から離れたカニューレ９の端部（すなわち、基準点に対して突起部９０２と同じ側の端部）は、その機能性を多様化するように、テーパー型にされ、対象物を穿刺できてもよい。
【００３９】
一実施形態では、図４ａに示されているように、突起部９０２が１つのみ環帯の形状で提供されてもよい。他の実施形態では、このような突起部９０２が複数、例えば４つの突起部９０２が図４ｂ及び４ｃに示されているように提供されてもよい。好適には、突起部９０２は左右対称に分配されてもよい。しかしながら、本発明は、いかなる特定の数の突起部９０２にも限定されない。
【００４０】
本発明はまた、器具軸３０２がカニューレ９と点接触できることが確保できさえすれば、突起部９０２はいかなる特定の形状にも限定されない。ただこの理由のために、器具軸３０２の円周方向に沿った各突起部９０２の幅は可能な限り小さく形成されるべきである。図４ｂに示されているように、一実施形態では、突起部９０２の湾曲表面と器具軸３０２の外面との間で点接触が起こってもよい。代わりに、図４ｃに示されているように、突起部９０２の平面と環状ロッドの形状の器具軸３０２の外面との間で点接触が起こってもよい。
【００４１】
さらに、カニューレ９の軸方向の歪みをより精度よく測定できるようにするために、突起部９０２よりも、感知素子９０３がマウント９０１のより近く（すなわち、ロボットアームの端末のより近く）に配置されていることが好ましい。例えば、感知素子９０３は、（図６に示されているように）、基準点と突起部９０２との間のカニューレの部分に設けられている。好適には、複数（例えば、３つ又は４つ）の感知素子９０３が提供されてもよい。より好適には、これら感知素子９０３は、左右対称に分配されてもよい。本実施形態では、４つの感知素子９０３が提供されてもよく、２つはＸ軸に沿って、Ｙ軸に対し互いに対称に設けられ、あとの２つはＹ軸に沿って、Ｘ軸に対し互いに対称に設けられている。感知素子９０３として使用できる装置例としては、箔歪みゲージ、半導体抵抗歪みゲージ、圧電センサ、半導体圧力センサ等が挙げられるが、それらに限らない。
【００４２】
図３は、本発明の実施形態に従って、カニューレを通して挿入された手術器具の端末での人間の組織によって加えられる反力を模式的に示す。図示のように、器具軸３０２の端末からその先端までの方向を正（＋）Ｚ方向と定義した場合、手術器具３の端末は、＋Ｘ方向に力Ｆｘ、＋Ｙ方向に力Ｆｙ、＋Ｚ方向に力Ｆｚを受けてもよく、演算器１０は、半径方向の力Ｆｘ及びＦｙ又はその合力Ｆｘｙを決定するように構成されている。
【００４３】
３つの方向で手術器具３の端末に作用する力の影響下で、器具軸３０２は変形し、カニューレ９で突起部９０２と接触してもよく、そこに接触力を加え、カニューレ９の感知素子９０３により感知されてもよい。加えて、器具軸３０２上のカニューレ９によって加えられた反力と手術器具の端末上の半径方向の力との間の関係に基づき、半径方向の力（Ｆｘ及びＦｙ、又はＦｘｙ）は、演算器１０により算出されてもよい。具体的には、手術器具３の端末上の力の影響下で、器具軸３０２が変形し、突起部９０２と点接触すると更なる変形を停止するようにしてもよい。一方、感知素子９０３は、カニューレ９の軸方向の変形によって伸ばされる又は圧縮されるので、器具軸３０２によりカニューレ９へ加えられた接触力を感知し、そこからカニューレ９からの反力Ｆｍ（Ｘ軸に沿った成分ＦｍｘとＹ軸に沿った成分Ｆｍｙとの合力）が決定できる。
【００４４】
前述の関係は、器具軸３０２の近位端（すなわち、パワーモジュール３０１に接続する場所）に画定されている第１特徴点から、それぞれ突起部９０２と接続可能な器具軸３０２の位置に画定されている第２特徴点及び手術器具３の端末に画定されている第３特徴点までの長さを使用して数学的に具現化してもよい。図５に示されているように、第１特徴点から第２特徴点までの長さＬ１及び第１特徴点から第３特徴点までの長さＬ２は、両方とも既知であってもよい。例えば、長さＬ２は事前に測定されてもよい。しかしながら、長さＬ１は、手術器具３の動きと異なるため、事前に測定できない。それにもかかわらず、長さＬ１の初期値Ｌ１ｓは手術ロボットの初期化中に得ることができる。ロボットアーム２の伸縮継ぎ手は手術器具３を駆動して、その軸に沿うカニューレ９に対して動かし、伸縮継ぎ手上の変位センサはリアルタイムで初期位置からの手術器具３の変位ΔＬを測定できる。従って、長さＬ１は、リアルタイムでＬ１＝Ｌ１ｓ＋ΔＬと決定することができる。
【００４５】
図５は本発明の実施形態に従って、手術器具に作用する力を模式的に示す。図示のように、器具軸３０２上の第１特徴点の周りのモーメントＭは、以下の合力としてゼロであるべきである。
（１）第１特徴点の周りに第３特徴点に作用する半径方向の力Ｆｘｙのモーメント、半径方向の力ＦｘｙはＸ軸のＦｘとＹ軸のＦｙの合力である。
（２）第１特徴点の周りに第２特徴点に作用する（合力）反力Ｆｍのモーメント。
（３）第１特徴点の周りの支点モーメント。
【００４６】
実際には、パワーモジュール３０１と器具軸３０２との間の接続だけでなく、カニューレ９と器具軸３０２との間の相互作用によって、パワーモジュール３０１により器具軸３０２にかけられる支点モーメントは無視できる。加えて、Ｆｘｙ及びＦｍはそれぞれ器具軸３０２の軸に垂直なため、第１特徴点の周りの半径方向の力Ｆｘｙのモーメント、ＦｘｙＬ２は、第１特徴点の周りの接触力Ｆｍのモーメント、ＦｍＬ１と大きさが等しくかつ逆方向である。つまり、ＦｘｙＬ２＋ＦｍＬ１＝０であり、これにより、端末に作用する半径方向の力Ｆｘｙは、既知のパラメータＬ１及びＬ２並びに感知素子９０３により測定できる大きさ及び方向を持つＦｍから算出できる。言い換えると、半径方向の力ＦｘｙとＬ２との積であるモーメントＦｘｙＬ２が、反力ＦｍとＬ１との積であるモーメントＦｍＬ１と大きさは同じで、方向は逆であると仮定すると、半径方向の力Ｆｘｙは次のよう表すことができる。
0006931420.tif 000002
ここで、マイナスサインはその方向が反力Ｆｍの方向と逆であることを示す。
【００４７】
Ｚ軸（すなわち、軸方向）の手術器具３の端末に作用する力Ｆｚは、他の方法で決定されてもよい。一実施形態では、パワーモジュール３０１は、好適には、手術器具３を駆動して軸方向に動かすための軸方向駆動モータを備えてもよく、演算器１０は軸方向駆動モータが出力する力及び伝達機構の減速比に基づき、手術器具３の端末上の軸力Ｆｚを決定するように構成されてもよい。ここで、軸方向駆動モータが出力する力は、モータの電流から算出されてもよいし、モータの出力軸に設けられているセンサによって直接測定されてよい。
【００４８】
器具軸３０２がカニューレ９内で滑ることに起因する滑り摩擦から結果として生じる信号干渉を回避するために、好適には、器具軸３０２と突起部９０２との間の摩擦を低減できるコーティングを器具軸３０２の外面上に提供してもよい。例えば、コーティングは、滑り摩擦から結果として生じる望ましくない信号干渉を取り除くことができ、軸力の測定の精度をよくできるテフロン（登録商標）コーティングであってもよい。
【００４９】
付記しておくと、カニューレ９に突起部を設けることは、単に本発明の好適な実施形態にすぎず、当業者には、カニューレ９が、カニューレ９に一切突起部がない滑らかな構造であったとしても、図７に示されているように、技術的課題は解決もでき、同様の有益な効果も得られることが理解されるであろう。この場合、第２特徴点は、カニューレ９の端末に画定されていてもよいが、手術器具の端末に作用する半径方向の力は、上述の実施形態と併せて上記に記載の原理と関係性とから適切に導かれる長さ関係に基づいて算出可能である。
【００５０】
以上、手術器具の端末に作用する力がどのように測定及び算出されるかについての詳細な説明がなされ、本発明が上記測定及び算出方法を含むがこれらに限られないこと、本発明でなされるありとあらゆる変形例も本発明の適用範囲内に入るように意図されていることは当然のことである。当業者は上述の実施形態の教示を考慮して他の実施形態をなすことができる。
【００５１】
さらに、演算器１０は既存のＰＬＣコントローラ、マイクロコンピュータ、マイクロプロセッサ等を採用してもよく、当業者には、技術的一般常識と併用で本明細書の開示に基づきいかにこのような選択を実行するかが理解されるであろう。
【００５２】
要約すると、本発明の実施形態のいくつかは、スレーブユニットと、演算器とを備えている手術ロボットシステムを提供する。スレーブユニットは、ロボットアームと、手術器具と、カニューレと、感知素子とを備えている。感知素子はカニューレ上に設けられ、カニューレの軸方向の変形を感知するよう構成され、演算器は、接触力によって手術器具の端末に作用する半径方向の力だけでなく、感知された軸方向の変形からカニューレにかかる接触力を決定するように構成されている。他の実施形態では、カニューレの内壁に、手術器具と点接触できるよう構成されている突起部が設けられ、演算器は、感知素子により感知された軸方向の変形に従ってカニューレにかかる点接触力に基づき手術器具の端末に作用する半径方向の力を決定するように構成されている。外力が手術器具の端末に作用すると、手術器具が変形し、カニューレと接触する。これに応じて、カニューレが、手術器具の接触部に支持力（すなわち、前述の反力）を加える。支持力のモーメントが、手術器具の端末にかかる外力の半径方向のそれ（すなわち、前述の半径方向の力）と釣り合う。そのため、手術器具の端末の構造におけるばらつきから生じ得るエラーを回避しつつ、カニューレにより手術器具に加えられる接触力を測定することで、手術器具の端末への半径方向の力が正確かつ独自に決定できる。特に、カニューレは、手術器具と点接触できる突起部を備えているため、手術器具の端末に作用する半径方向の力は、突起部と手術器具との間の接触力を測定することによりさらにより高い精度で決定できる。
【００５３】
モータ出力を使用して、手術器具の端末に作用する力を算出する従来の解決策に比べ、本発明の手術ロボットシステムは、より単純な力伝達経路とより高い半径方向の力の測定精度の両方において有利である。さらに、手術器具の端末に作用する半径方向の力は、追加のコンポーネントを必要とせずにさらに簡単な方法で取得でき、手術器具の構造的複雑性のさらなる低減を提供し、その組み立てを容易にする。さらに、手術器具には軽微な変更が必要なため、既存の様々な手術器具は、提案されている手術ロボットシステムに適切に使用できる。
【００５４】
上記に提示された説明は、単に本発明のいくつかの好適な実施形態にすぎず、いかなる意味においてもその範囲を限定するものではない。上記の教示に基づいて当業者によりなされるありとあらゆる変更及び変形例は、添付の請求項に定義されている範囲内にある。
【図１】
0006931420.tif 000003
【図２】
0006931420.tif 000004
【図３】
0006931420.tif 000005
【図４ａ】
0006931420.tif 000006
【図４ｂ】
0006931420.tif 000007
【図４ｃ】
0006931420.tif 000008
【図５】
0006931420.tif 000009
【図６】
0006931420.tif 000010
【図７】
0006931420.tif 000011